(57)【要約】【課題】塵芥収容箱の内壁面等の汚れを水にて洗い流し易くして清掃の利便性を図るとともに、この清掃に要する労力を軽減し、その時間を短縮できるようにする。【解決手段】塵芥収容箱３の内壁面及び排出板６に酸化チタンを塗布する一方、塵芥収容箱３内の適宜な位置、本実施の形態では、塵芥収容箱３のフロント面３ａの最上端にライト７を設置する。このライト７は、エンジン（図示せず）がかかっている際に点灯させ、また、エンジンが停止しているときでも、汚れ具合によって適宜に点灯させる。このような酸化チタンの塗布された塵芥収容箱３の内壁面や排出板６にライト７が照射されると、照射された部位の汚れが分解され、この汚れが浮き上がって水にて洗い流し易くなるため清掃の利便性が向上する。【選択図】図１
2006001719.tif 000002
【特許請求の範囲】
【請求項１】
塵芥収容箱内に積み込まれた塵芥を排出するための排出板が当該塵芥収容箱内に摺動可能に設けられた塵芥収集車において、前記塵芥収容箱の内壁面及び前記排出板に酸化チタンを塗布するとともに、前記塵芥収容箱内の適宜な位置に、前記塵芥収容箱の内壁面及び前記排出板を照射するライトを設置してなることを特徴とする塵芥収集車。
【請求項２】
前記排出板の、前記酸化チタンが塗布される部位は、当該排出板の前面であり、また、前記塵芥収容箱内の、前記酸化チタンが塗布される部位は、前記排出板が前記塵芥収容箱の最前方部まで移動したときに、当該排出板より前方に位置する前記塵芥収容箱の内壁面であることを特徴とする請求項１に記載の塵芥収集車。
【請求項３】
前記塵芥収容箱の外壁面を含む架装物に酸化チタンを塗布することを特徴とする請求項１または２に記載の塵芥収集車。
【発明の詳細な説明】
【技術分野】
【０００１】
本発明は、酸化チタンの特性を生かした塵芥収集車に関するものである。
【背景技術】
【０００２】
塵芥収集車には塵芥収容箱が装着され、この塵芥収容箱内には、当該塵芥収容箱内に積み込まれた塵芥を排出するための排出板が当該塵芥収容箱内を摺動可能に設けられる一方、この塵芥収容箱のフロント面には、点検用開口部が設けられ、かかる点検用開口部を介して塵芥収容箱内の塵芥による汚れを清掃できるようになっている。そして、かかる点検用開口部には、塵芥収容箱内の汚水が外に飛散しないように、また、悪臭が漏出しないように当該点検用開口部を閉塞することはもちろん、塵芥収容箱内のメンテナンス性を考慮した構造の開閉扉が設けられている（例えば、特許文献１）。
この特許文献１に開示された開閉扉のうちの一つは、図２，３に示すような構造をなしている。即ち、開閉扉１００の下部の内側には、図２に示すように、Ｕ字状に屈曲成形されたＵ字状アーム１０１及びＬ字状に屈曲成形されたＬ字状アーム１０２の端部がピン１０３，１０４を介して回転自在にそれぞれ連結されている。そして、ピン１０３の位置は、開閉扉１００の中央寄り周縁に、また、ピン１０４の位置は、荷箱１０５の壁寄りのところにある。これに対し、荷箱１０５の前部内側面には、第１ブラケット１０６及び第２ブラケット１０７がそれぞれ固着され、これらブラケット１０６，１０７に上記アーム１０１，１０２の他端がヒンジ１０８，１０９を介して回転自在にそれぞれ連結されている。そして、アーム１０１のヒンジ１０８の方が、アーム１０２のヒンジ１０９より車両前方に位置するように配されている。これにより、開閉扉１００は、ヒンジ１０８，１０９を中心とした揺動に伴って回転可能になり、車両前方から側方に、又は車両側方から前方に移動して点検用開口部を開閉する。ここで、１１０は、キャブであり、１１１は、排出板である。また、Ｗは、荷箱１０５の前面とキャブ１１０との間隔を示している。
ところで、この開閉扉１００においては、開閉扉１００の上部が排出板１１１に近く、両者の間隔Ｈがかなり短いため、図３のような構造となっている。即ち、荷箱１０５の上部端面に当該荷箱１０５の幅方向に沿ってガイドレール２００を設け、このガイドレール２００内を互いに直交する方向に回転して動くローラ２０１，２０２をローラヒンジ２０３の一端に設け、このローラヒンジ２０３の他端と補助アーム２０４の一方端とをヒンジ２０５を介して回転自在に、また、補助アーム２０４との他方端と開閉扉１００の中心側上部とをピン２０６を介して回転自在にそれぞれ連結されている。これにより、開閉扉１００は、排出板１１１と干渉することなく、車両前方から側方に、又は車両側方から前方に移動して点検用開口部を開閉することができるようになる。ここで、Ｓは、ピン２０６の軌跡である。
【０００３】
しかしながら、上記開閉扉は、塵芥収容箱内の汚水が外に飛散しないように、また、悪臭が漏出しないように点検用開口部を閉塞するとともに、塵芥収容箱内の清掃に際しては当該開閉扉を開き、点検用開口部から清掃具を差し込むなり、作業者が点検用開口部から塵芥収容箱内に入るなりして行えるようにメンテナンス性を考慮した構造となっているが、塵芥収容箱内の清掃には労力と時間を要するために、かかる清掃の頻度数を多くすることは容易ではない。したがって、従来から塵芥収容箱内の清掃は、定期的なメンテナンス時期に行われ、いつもより汚れがひどくてもメンテナンス時期までそのまま使い続ける結果、かえって汚れが落ちにくくなったり、場合によっては固化して排出板の移動を不能になるトラブルさえ生ずることがある。
【特許文献１】実開平６−２５２０３（第９〜１１頁、第１，２，４，５図）
【発明の開示】
【発明が解決しようとする課題】
【０００４】
解決しようとする問題点は、塵芥収容箱の内壁面等の汚れを水にて洗い流し易くして清掃の利便性を図るとともに、この清掃に要する労力を軽減し、その時間を短縮できるようにする点である。
【課題を解決するための手段】
【０００５】
本発明の請求項１に係る塵芥収集車は、塵芥収容箱内に積み込まれた塵芥を排出するための排出板が当該塵芥収容箱内に摺動可能に設けられ、前記塵芥収容箱の内壁面及び前記排出板に酸化チタンを塗布するとともに、前記塵芥収容箱内の適宜な位置に、前記塵芥収容箱の内壁面及び前記排出板を照射するライトを設置するようにしたものであり、光（紫外線）を当てると光触媒としての機能を発揮する酸化チタンの特性を利用することにより、塵芥収容箱内の汚れを水にて洗い流し易くして清掃の簡易化を図るとともに、メンテナンス時期の清掃に要する労力を軽減し、その時間を短縮できるようにすることができる。
【０００６】
本発明の請求項２に係る塵芥収集車において、前記排出板の、前記酸化チタンが塗布される部位は、当該排出板の前面であり、また、前記塵芥収容箱内の、前記酸化チタンが塗布される部位は、前記排出板が前記塵芥収容箱の最前方部まで移動したときに、当該排出板より前方に位置する前記塵芥収容箱の内壁面であるようにしたもので、排出板の後面は塵芥と絶えず擦れ合っており、また、塵芥収容箱の内壁面の大部分は排出板の側面や塵芥と絶えず擦れ合っているために汚れの付着が軽微であるが、排出板の前面及びこの排出板より前方に位置する塵芥収容箱の内壁面のようなところは、汚れが付着して落ち難いという実情を踏まえて、このような汚れが付着して落ち難い部位に酸化チタンを塗布して汚れを落とし易くしたものである。
【０００７】
本発明の請求項３に係る塵芥収集車は、塵芥収容箱の内壁面や排出板のみならず、塵芥収容箱の外壁面を含む架装物にも酸化チタンを塗布するようにして、汚れを落とし易くしたものであり、この場合、塵芥収容箱の外壁面を含む架装物に塗布された酸化チタンに当てる光は、太陽光が利用される。
【発明の効果】
【０００８】
本発明の塵芥収集車は、光（紫外線）を当てると光触媒としての機能を発揮する酸化チタンの特性を利用し、このような酸化チタンを塵芥収容箱の内壁面や排出板に塗布することにより、塵芥収容箱の内壁面等の汚れを水にて洗い流し易くして清掃の利便性を図るとともに、この清掃に要する労力を軽減し、その時間を短縮できる利点がある。
【発明を実施するための最良の形態】
【０００９】
本発明の実施形態に係る塵芥収集車を図１を参照して説明する。
本塵芥収集車１は、図１に示すように、キャブ２の後方に塵芥収容箱３が装着され、この塵芥収容箱３の最後部には、積込装置を内蔵したテールゲート４が当該塵芥収容箱３の最後部上端に配設されたヒンジ５を介して矢印Ａ，Ｂ方向に回転可能に取り付けられている。一方、塵芥収容箱３内には、当該塵芥収容箱３の内壁面に沿って矢印Ｃ，Ｄ方向に移動する排出板６が配設されており、かかる排出板６は、その前面６ａが塵芥収容箱３の前方を向き、また、その後面６ｂが塵芥収容箱３の後方を向いて配設された傾斜板で、この傾斜板の上部が塵芥収容箱３の前方側に傾斜して配設されるものである。そして、排出板６が矢印Ｃ方向に移動して塵芥収容箱３の最前方部まで移動したときに、排出板６は、当該排出板６より前方に位置する塵芥収容箱６の内壁面との間に淀み域（図１において、網かけが施されている部位）を形成する。
【００１０】
そして、本実施の形態では、塵芥収容箱３の内壁面に、酸化チタンが塗布されるとともに、排出板６に酸化チタンが塗布される一方、塵芥収容箱３のフロント面３ａの最上端（塵芥収容箱内の適宜な位置）にライト７が設置されており、このライト７は、エンジン（図示せず）がかかっている際に点灯させるようにでき、また、エンジンが停止しているときでも、汚れ具合によって適宜に点灯させることができるようになっている。このような酸化チタンの塗布された塵芥収容箱３の内壁面等にライト７が照射されると、照射された部位の汚れが分解され、この汚れが浮き上がって水にて洗い流し易くなるため清掃の利便性が上がり、メンテナンス時期の清掃に要する労力を軽減し、その時間を短縮できるようにすることができる。
また、塵芥収容箱３の内壁面や排出板６のみならず、塵芥収容箱３の外壁面やテールゲート（架装物）４にも酸化チタンを塗布することが好ましく、この場合には、塵芥収容箱３の外壁面やテールゲート４に太陽光が当たることにより、塵芥収容箱３の外壁面等の汚れを分解し水にて洗い流し易くなって清掃の利便性が上がることは上述同様である。
【００１１】
ところで、テールゲート４に投入された塵芥は、テールゲート４内の積込装置によって塵芥収容箱３内に押込められる一方、押込められた塵芥によって排出板６は矢印Ｃ方向に押されて移動する。また、塵芥収容箱３内の塵芥は、テールゲート４をＡ方向に回転させた後、排出板６をＤ方向に移動させることにより、塵芥収容箱３から排出される。このように、本塵芥収集車１では、排出板６の後面６ｂは塵芥と絶えず擦れ合っており、また、塵芥収容箱３の内壁面の大部分は排出板６の側面や塵芥と絶えず擦れ合っているために汚れの付着が軽微であるが、排出板６の前面６ａ、及び排出板６が塵芥収容箱３の最前方部まで移動したときに、当該排出板６より前方に位置する塵芥収容箱３の内壁面との間に形成される上記淀み域のようなところは、汚れが付着して落ち難いという実情を踏まえて、このような汚れが付着して落ち難いところにのみ酸化チタンを塗布して汚れを落とし易くしてもよい。
【産業上の利用可能性】
【００１２】
本発明は、酸化チタンの特性を塵芥収集車に生かしたもので、塵芥収容箱の内壁面等の汚れを水にて洗い流し易くして清掃の利便性を図ったものであり、清掃の頻度数を多めにする必要のあるこの種の塵芥収集車に対しては、使い勝手の向上が図れる点で極めて有効であると言える。
【図面の簡単な説明】
【００１３】
【図１】本発明の実施の形態に係る塵芥収集車の一部断面図である。
【図２】従来の塵芥収集車の開閉扉の動作説明図である。
【図３】従来の塵芥収集車の開閉扉の動作説明図である。
【符号の説明】
【００１４】
１                  塵芥収集車
３                  塵芥収容箱
３ａ                フロント面
６                  排出板
６ａ                前面
６ｂ                後面
７                  ライト
【図１】
2006001719.tif 000003
【図２】
2006001719.tif 000004
【図３】
2006001719.tif 000005